(57)【要約】【課題】  水を貯水する貯水室の貯水温度を正確に検知できるミスト発生装置を提供する。【解決手段】  該器具本体内に設け、水を貯水する貯水室の貯水温度を検知する貯水温度検知部１７を、サーミスタ３２と、該サーミスタ３２を収納する収納部３６と、該収納部３６に挿入してサーミスタ３２を付勢する付勢部３８とから構成し、前記貯水室８の正面又は背面又は側面に凹部３９を形成し、該凹部３９に前記サーミスタ３２が二点以上で接するように貯水温度検知部１７を設けたので、貯水温度検知部１７のサーミスタ３２が常に二カ所で接触し、それにより安定して温度検知することが出来、正確に貯水室８内の水の温度を検知できるものである。【選択図】  図６
2014214923.tif 000002
【特許請求の範囲】
【請求項１】
器具本体と、該器具本体内に設け、水を貯水する貯水室と、該貯水室内の水を加熱する加熱ヒータと、前記貯水室内の貯水温度を検知する貯水温度検知部と、前記貯水室内の水に下端を水没させ、回転により水を汲み上げて飛散させる筒状の回転体と、該回転体を回転駆動させるミストモータと、前記回転体の回転により飛散された水が衝突する多孔部と、該多孔部で水が破砕されることで発生するナノミストと負イオンを室内に供給する送風モータと、前記ミストモータと前記送風モータとを駆動させ、前記回転体を回転駆動させることで発生したナノミストと負イオンを送風口から室内に供給するミスト運転を制御する制御部とを備えたミスト発生装置において、前記貯水温度検知部はサーミスタと、該サーミスタを収納する収納部と、該収納部に挿入してサーミスタを付勢する付勢部とからなり、前記貯水室の正面又は背面又は側面に凹部を形成し、該凹部に前記サーミスタが二点以上で接するように貯水温度検知部を設けたことを特徴とするミスト発生装置。
【請求項２】
前記貯水温度検知部は、円柱状のサーミスタと、断面略コの字状のセンサ収納部と該センサ収納部の先端に形成された係止部と前記センサ収納部の両端に形成された取り付け部とからなる収納部と、略Ｖ字状に形成された板バネからなり、一端に前記収納部と当接する係合部を形成した付勢部とからなり、貯水室側面に形成された凹部の角部に収納部の取り付け部を固定し、収納部のセンサ収納部にサーミスタを挿入し、挿入したサーミスタの上部の隙間に付勢部の略Ｖ字状部分を挿入して、サーミスタを付勢部により前記凹部の角部に押しつけることを特徴とする請求項１記載のミスト発生装置。
【発明の詳細な説明】
【技術分野】
【０００１】
この発明は、ナノミストと負イオンを発生させるミスト発生装置に関するものである。
【背景技術】
【０００２】
従来、この種のものにおいて、回転体を軸支するミストモータを駆動させ、貯水室の水を汲み上げて衝突体である多孔部に衝突させることでナノミストと負イオンを発生させ、送風モータを駆動することで室内にナノミストと負イオンを送風するミスト運転を行うサウナ装置があり、ミスト運転開始前及びミスト運転終了後に加熱ヒータをＯＮ状態にして貯水室内の水を加熱殺菌可能な温度で所定時間加熱し、所定時間経過したら加熱ヒータをＯＦＦ状態にしてから貯水室内の水を排水する除菌運転を行うことで、貯水室内の除菌を行っていた。
【先行技術文献】
【特許文献】
【０００３】
【特許文献１】特開２０１１−１６０９１９号公報
【発明の概要】
【発明が解決しようとする課題】
【０００４】
しかし、この従来のものでは、貯水室内の水の温度を貯水室の外壁面に貯水温度を検知する貯水温度検知部を接触させてその検知温度により貯水室内の水の温度を検知していたが、貯水温度検知部を構成する温度サーミスタが略円柱状であるため、貯水室の外壁面に一線状に接触する状態で温度検知することとなって、温度検知が不安定になる可能性があった。
【０００５】
更に、送風モータを器具本体の下部に設け、器具本体の下部から吸い込んだ室内空気を、送風モータの上部に設けた貯水室と送風通路に向かって吹き出し、貯水室と送風通路とを通過させて送風口から送風することで、貯水室内で発生させたナノミストと負イオンを含んだ加湿空気を室内に供給するものに於いては、その送風された空気が貯水室の外壁に設置され貯水温度を検知する貯水温度検知部に当たってしまい、その影響で貯水温度検知部が正確に貯水温度を検知できないという問題があった。
【課題を解決するための手段】
【０００６】
上記課題を解決するために、本発明の請求項１では、器具本体と、該器具本体内に設け、水を貯水する貯水室と、該貯水室内の水を加熱する加熱ヒータと、前記貯水室内の貯水温度を検知する貯水温度検知部と、前記貯水室内の水に下端を水没させ、回転により水を汲み上げて飛散させる筒状の回転体と、該回転体を回転駆動させるミストモータと、前記回転体の回転により飛散された水が衝突する多孔部と、該多孔部で水が破砕されることで発生するナノミストと負イオンを室内に供給する送風モータと、前記ミストモータと前記送風モータとを駆動させ、前記回転体を回転駆動させることで発生したナノミストと負イオンを送風口から室内に供給するミスト運転を制御する制御部とを備えたミスト発生装置において、前記貯水温度検知部はサーミスタと、該サーミスタを収納する収納部と、該収納部に挿入してサーミスタを付勢する付勢部とからなり、前記貯水室の正面又は背面又は側面に凹部を形成し、該凹部に前記サーミスタが二点以上で接するように貯水温度検知部を設けたものである。
【０００７】
また、請求項２では、前記貯水温度検知部は、円柱状のサーミスタと、断面略コの字状のセンサ収納部と該センサ収納部の先端に形成された係止部と前記センサ収納部の両端に形成された取り付け部とからなる収納部と、略Ｖ字状に形成された板バネからなり、一端に前記収納部と当接する係合部を形成した付勢部とからなり、貯水室側面に形成された凹部の角部に収納部の取り付け部を固定し、収納部のセンサ収納部にサーミスタを挿入し、挿入したサーミスタの上部の隙間に付勢部の略Ｖ字状部分を挿入して、サーミスタを付勢部により前記凹部の角部に押しつけるものである。
【発明の効果】
【０００８】
この発明の請求項１によれば、貯水温度検知部をサーミスタと、該サーミスタを収納する収納部と、該収納部に挿入してサーミスタを付勢する付勢部とから構成し、前記貯水室の正面又は背面又は側面に凹部を形成し、該凹部に前記サーミスタが二点以上で接するように貯水温度検知部を設けたので、貯水温度検知部のサーミスタが常に二カ所で接触し、それにより安定して温度検知することが出来、正確に貯水室内の水の温度を検知できるものである。
【０００９】
又、貯水温度検知部のサーミスタが  貯水室側面の凹部に押しつけられて取り付けられていることで、下から上に送風された空気が収納部内のサーミスタの位置する部分に当たりにくくなり、それにより温度検知が送風の影響を受けにくくすることが出来るものであり、更にサーミスタが収納部に収納されていることにより、送風モータにより送風された空気が直接サーミスタに当たることがなく、正確に貯水室内の水の温度を検知できるものである。
【００１０】
また、請求項２によれば、前記貯水温度検知部は、円柱状のサーミスタと、断面略コの字状のセンサ収納部と該センサ収納部の先端に形成された係止部と前記センサ収納部の両端に形成された取り付け部とからなる収納部と、略Ｖ字状に形成された板バネからなり、一端に前記収納部と当接する係合部を形成した付勢部とからなり、貯水室側面に形成された凹部の角部に収納部の取り付け部を固定し、収納部のセンサ収納部にサーミスタを挿入し、挿入したサーミスタの上部の隙間に付勢部の略Ｖ字状部分を挿入して、サーミスタを付勢部により前記凹部の角部に押しつけるので、貯水温度検知部のサーミスタが、その円周部分が前記凹部の角部のａ点とｂ点の二カ所に接触し、安定して温度検知することが出来、正確に貯水室内の水の温度を検知できるものである。
【００１１】
又、貯水温度検知部のサーミスタが  貯水室側面の凹部の角部に押しつけられて取り付けられていることで、下から上に送風された空気が収納部内のサーミスタの位置する部分に当たりにくくなり、それにより温度検知が送風の影響を受けにくくすることが出来るものであり、更にサーミスタが収納部に収納されていることにより、送風モータにより送風された空気が直接サーミスタに当たることがなく、正確に貯水室内の水の温度を検知できるものである。
【００１２】
又、センサ収納部に挿入したサーミスタの上部の隙間に略Ｖ字状に形成された板バネからなる付勢部を、サーミスタが収納されたセンサ収納部の上部の隙間に挿入するので、簡単な構造で確実にサーミスタを貯水室側面に形成された凹部の角部に押し付けることができるものである。
【００１３】
又、収納部のセンサ収納部に挿入したサーミスタの上部の隙間に付勢部を挿入した時、付勢部の一端に形成した係合部が収納部と当接することにより、付勢部が収納部に入りすぎて取れなくなることを防止できるものである。
【図面の簡単な説明】
【００１４】
【図１】この発明の一実施形態の外観を説明する斜視図。
【図２】同概略構成図。
【図３】同制御ブロック図。
【図４】同貯水室の側面図。
【図５】同貯水温度検知部の分解斜視図。
【図６】同要部断面図。
【発明を実施するための形態】
【００１５】
次に、この発明の一実施形態におけるミスト発生装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７は図示しないブレーカーを隠すブレーカーカバーである。
【００１６】
８は上面パネル４内に設置され所定量の水を貯水する貯水室であり、この貯水室８内には、水に下端を水没させ駆動軸９に軸支された筒状の回転体１０が備えられている。
【００１７】
前記回転体１０は、中空逆円錐形で上方に向かって径が徐々に拡大するものであり、駆動軸９に接続され回転体１０を回転駆動させるミストモータ１１を駆動させ、回転体１０が回転することによる回転の遠心力で貯水室８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上端に形成された複数の図示しない飛散口から周囲に飛散させる。
【００１８】
１２は回転体１０の上部外周に所定間隔を離間させて位置し、回転体１０と共に回転する円筒状の多孔体で、該多孔体１２には、その全周壁に多数のスリットや金網やパンチングメタル等から成る衝突体としての多孔部１３が設置されており、回転体１０の回転による遠心力で貯水室８内の水を汲み上げると共に空気を飛散させ、多孔部１３を通過した水滴が破砕されることで、水の粒子を微細化してナノメートル（ｎｍ）サイズのミストが生成すると共に、水の粒子の微細化によるレナード効果で負イオンを発生させるものである。
【００１９】
１４は下面パネル５内に設置され所定の回転数で駆動する送風モータであり、器具本体１の下部から吸い込んだ室内空気を吹き出して、貯水室８と送風通路１５とを通過させて送風口２から送風することで、貯水室８内で発生させたナノミストと負イオンを含んだ加湿空気を室内に供給する。
【００２０】
１６は貯水室８内に設置され貯水を加熱する加熱ヒータであり、貯水室８の外壁に設置され貯水温度を検知する貯水温度検知部１７で検知される温度が所定温度となるよう、ＯＮ／ＯＦＦ状態を適宜切り替える。
【００２１】
１８は貯水室８内に設置され、フロートが上下することで水位を検知する水位センサであり、貯水室８内の水位が低下して所定水位以下になったらＯＦＦ信号を出力し、水位が上昇して所定水位以上になったらＯＮ信号を出力し、更に水位が上昇して貯水室８内が満水となったら満水信号を出力する。
【００２２】
１９は貯水室８に接続され、貯水室８内に水道水を給水する給水管であり、該給水管１９の配管途中には、電磁弁を開閉して貯水室８内への給水を制御する給水弁２０と、給水圧を所定値まで減圧する減圧弁２１とが備えられている。
【００２３】
２２は貯水室８底部に接続され、貯水室８内の水を器具本体１外部に排水する硬質塩化ビニル管で構成された排水管であり、該排水管２２の配管途中には、電磁弁を開閉して貯水室８内の水の排水を制御する排水弁２３が備えれている。
【００２４】
２４は送風口２の壁面に設置され、送風口２から室内へ向けて送風される加湿空気の温度を検知する送風温度センサ、２５は送風モータ１４の近傍に設置され、送風モータ１４で吸い込む室内空気の温度を検知する吸気温度センサ、２６は前記吸気温度センサ２５の近傍に設置され、器具本体１が設置された室内の湿度を検知する湿度センサであり、各センサで検知された温度や湿度に基づいて、ミストモータ１１や送風モータ１４の回転数を変化させ、加熱ヒータ１６のＯＮ／ＯＦＦ状態を切り替える。
【００２５】
２７は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段２８と、送風モータ１４を所定の回転数で駆動させる送風モータ制御手段２９と、加熱ヒータ１６のＯＮ／ＯＦＦ状態を変化させて貯水室８内の水温を制御する加熱ヒータ制御手段３０と、特定の動作開始時から経過した時間をカウントする計時手段３１とが備えられている。
【００２６】
前記貯水温度検知部１７は、円柱状のサーミスタ３２と、断面略コの字状のセンサ収納部３３と該センサ収納部３３の先端に形成された係止部３４と前記センサ収納部３３の両端に形成された取り付け部３５とからなる収納部３６と、略Ｖ字状に形成された板バネからなり、一端に前記収納部３６と当接する係合部３７を形成した付勢部３８とからなり、貯水室８側面に形成された凹部３９の角部４０に収納部３６の取り付け部３５を固定し、収納部３６のセンサ収納部３３にサーミスタ３２を挿入し、挿入したサーミスタ３２の上部の隙間に付勢部３８の略Ｖ字状部分を挿入することで、サーミスタ３２が付勢部３８により前記凹部３９の角部４０に押しつけられる。
【００２７】
この時、挿入したサーミスタ３２が付勢部３８により前記凹部３９の角部４０に押しつけられて、サーミスタ３２の円周部分が貯水室８側面に形成された凹部３９の角部４０のａ点とｂ点の二カ所に接触するものである。
又、センサ収納部３３に挿入したサーミスタ３２の上部の隙間に付勢部３８の略Ｖ字状部分を挿入した時、付勢部３８の係合部３７が収納部３６と当接して付勢部３８が固定されるものである。
【００２８】
次に、この実施形態での運転開始から終了までの動作について説明する。
まず、操作部６の運転スイッチ２７が操作されたか、もしくはタイマー切替スイッチ３０で設定された運転開始時刻になったら、制御部２７は、排水弁２３を開放して貯水室８内の水を排水し、水位センサ１８でＯＦＦ信号が検知されたら、給水弁２０を開放して貯水室８内を水で洗い流すクリーニング動作を行い、所定時間経過したら排水弁２３を閉止することで給水弁２０から流入する水を貯水室８内に供給し、水位センサ１８でＯＮ信号が検知されたら、所定量の水が貯水室８内に供給されたとして給水弁２０を閉止する水入替モードを行う。
【００２９】
そして水入替モードが終了したら、制御部２７は、貯水温度検知部１７での検知値に基づき、加熱ヒータ１６を駆動させて貯水温度が所定温度の範囲内（例えば、６３℃から６５℃の間）となるよう加熱ヒータ制御手段３０で制御し、ミストモータ１１及び送風モータ１４が所定の回転数となるようミストモータ制御手段２８及び送風モータ制御手段２９で制御する立ち上げモードを行う。
【００３０】
この時、貯水室８側面の凹部３９の角部４０に押しつけられて取り付けられている貯水温度検知部１７のサーミスタ３２が、その円周部分が前記凹部３９の角部４０のａ点とｂ点の二カ所に接触しているので、安定して温度検知することが出来、正確に貯水室内の水の温度を検知できるものである。
【００３１】
又、貯水温度検知部１７のサーミスタ３２が  貯水室８側面の凹部３９の角部４０に押しつけられて取り付けられていることで、下から上に送風された空気が収納部３６内のサーミスタ３２の位置する部分に当たりにくくなり、それにより温度検知が送風の影響を受けにくくすることが出来るものであり、更にサーミスタ３２が収納部３６に収納されていることにより、送風モータ１４により送風された空気が直接サーミスタ３２に当たることがなく、正確に貯水室内の水の温度を検知できるものである。
【００３２】
又、センサ収納部３３に挿入したサーミスタ３２の上部の隙間に略Ｖ字状に形成された板バネからなる付勢部３８を、サーミスタ３２が収納されたセンサ収納部３３の上部の隙間に挿入することで、簡単な構造で確実にサーミスタ３２を貯水室８側面に形成された凹部３９の角部４０に押し付けることができるものである。
【００３３】
又、収納部３６のセンサ収納部３３に挿入したサーミスタ３２の上部の隙間に付勢部３８を挿入した時、付勢部３８の一端に形成した係合部３７が収納部３６と当接することにより、付勢部３８が収納部３６に入りすぎて取れなくなることを防止できるものである。
【００３４】
そして立ち上げモードが終了したら、制御部２７は、加湿スイッチ（図示せず）及び風量スイッチ（図示せず）で設定された加湿レベルと風量レベルに基づいて、ミストモータ１１と送風モータ１４とが所定の回転数で駆動するようミストモータ制御手段２８と送風モータ制御手段２９とで回転数を制御し、温度センサ１７の検知値に基づいて加熱ヒータ１６のＯＮ／ＯＦＦ状態を加熱ヒータ制御手段３０で切り替えて制御することで、貯水室内の貯水温度を加湿レベルと風量レベルとに合わせた所定の温度範囲内にするミスト運転を実行する通常運転モードを行う。
【００３５】
ここで通常運転モードを詳述すると、ミストモータ制御手段２８によりミストモータ１１を８００〜１４００ｒｐｍの範囲内で回転数を変化させ、また、送風モータ制御手段２９で送風モータ１４を４００〜８００ｒｐｍの範囲内で回転数を変化させることで、風量レベルに合った回転数にしたミスト運転を行い、更に、送風温度センサ２４で検知される温度が加湿レベルに合った値となるよう貯水室８内の貯水温度を変化させ、貯水温度検知部１７で検知される温度が約３０〜４０℃の範囲内で推移するように加熱ヒータ１６のＯＮ／ＯＦＦ状態を加熱ヒータ制御手段３０で切り替えて制御するものである。
【符号の説明】
【００３６】
１    器具本体
８    貯水室
１０    回転体
１１    ミストモータ
１３    多孔部
１４    送風モータ
１６    加熱ヒータ
１７  貯水温度検知部
２７  制御部
３２  サーミスタ
３６  収納部
３８  付勢部
３９  凹部
【図１】
2014214923.tif 000003
【図２】
2014214923.tif 000004
【図３】
2014214923.tif 000005
【図４】
2014214923.tif 000006
【図５】
2014214923.tif 000007
【図６】
2014214923.tif 000008